(57)【要約】      （修正有）【課題】取付アダプタへの先端工具の取り付け、取り外しをワンタッチで行うことができ、また、取付アダプタへの先端工具の着脱操作と取付アダプタ及び先端工具の保持操作とを同時に行う場合でも容易に行えるようにした先端工具取付アダプタを提供する。【解決手段】取付アダプタ１のヘッド部２に、先端工具の取付部を挿入可能とする間隙２０を間にあけて互いに平行に立設された対をなす支持プレート５と、それぞれの支持プレートに設けられ、取付部に形成された嵌合孔に挿着可能となる連結ロッド８と、支持プレートに押し込むことで連結ロッドを間隙から後退させる操作ロッド６と、連結ロッドを間隙へ突出させる方向へ常時付勢する付勢部材（圧縮スプリング１２）とを備える。【選択図】図１
2015027168.tif 000002
【特許請求の範囲】
【請求項１】
先端工具の取付部に連結接続するヘッド部と、操作棒の先端部に連結接続するジョイント部とが一体に形成された先端工具取付アダプタであって、
前記ヘッド部は、先端工具の取付部を挿入可能とする間隙を間にあけて互いに平行に立設された対をなす支持プレートと、
それぞれの支持プレートに前記間隙に出没可能に設けられ、前記間隙に挿入された前記取付部の嵌合孔に挿着可能となる連結ロッドと、
それぞれの支持プレートに設けられ、前記支持プレートに押し込むことで前記連結ロッドを前記間隙から後退させる操作ロッドと、
前記連結ロッドを前記間隙へ突出させる方向へ常時付勢する付勢部材と、
を具備することを特徴とする先端工具取付アダプタ。
【請求項２】
前記操作ロッドにその移動方向に沿ってラックが形成された第１ラック部を形成し、前記連結ロッドにその移動方向に沿ってラックが形成された第２ラック部を形成し、前記操作ロッドと前記連結ロッドとの間に前記第１ラック部と前記第２ラック部とに噛合するピニオンを設けて前記連結ロッドを後退させる動きを前記操作ロッドから前記ピニオンを介して供給することを特徴とする請求項１記載の先端工具取付アダプタ。
【請求項３】
前記対をなす支持プレートに設けられたそれぞれの連結ロッドの先端部は、前記間隙に突出させた状態で前記連結ロッドの軸方向と垂直方向に互いに重なり合い、重なり合った部分で前記嵌合孔の断面形状を呈することを特徴とする請求項１又は２記載の先端工具取付アダプタ
【請求項４】
前記嵌合孔の内周面と前記連結ロッドの先端部の外周面とには、互いに噛合する平目のローレットが形成されていることを特徴とする請求項１乃至３のいずれかに記載の先端工具取付アダプタ。
【発明の詳細な説明】
【技術分野】
【０００１】
本発明は、先端工具を絶縁操作棒に取り付けるために用いられる取付アダプタに関し、特に、先端工具をワンタッチで着脱させることが可能な先端工具取付アダプタに関する。
【背景技術】
【０００２】
高圧配電線の活線作業においては、充電部からの距離を保って作業を行う間接活線工法が採用されているが、このような間接活線工法においては、各種先端工具を絶縁操作棒の先端に取り付けるために、特許文献１及び２等に示される菊座アダプタが用いられる。
【０００３】
この菊座アダプタ１００は、図６に示されるように、先端に円盤形状に形成されたヘッド部１０１が設けられ、基端に図示しない絶縁操作棒の先端部に連結接続するジョイント部１０２が設けられているもので、ヘッド部１０１には、中心に蝶ボルト１０３が螺合するネジ穴１０４が形成され、このネジ穴１０４を中心として放射状に突出する突起１０５が周方向に複数形成されている。
これに対して先端工具の取付部１０６には、菊座アダプタ１００のヘッド部１０１と対面接続可能な円盤形状に形成された菊座部１０７を備え、この菊座部１０７には、先端から内方に向かって切り欠かれたＵ字形状の連結溝１０８と、この連結溝１０８の終端部を中心として放射状に突出する突起１０９が周方向に複数形成されている。
【０００４】
そして、菊座アダプタ１００のヘッド部１０１に先端工具の取付部１０６を取り付けるには、取付部１０６の突起１０９が形成された面をヘッド部１０１の突起１０５が形成された面に対峙させつつ連結溝１０８に蝶ボルト１０３を貫通させるように配置し、取付部１０６の菊座部１０７を先端工具の取付アダプタに対する取付け角度を調整しながら取付部１０６とヘッド部１０１とを互いの突起１０５，１０９を噛み合わせるように重ね合わせ、その状態で蝶ボルト１０３を締め付けることで先端工具を菊座アダプタ１００に固定するようにしている（特許文献１、２等参照）。
【先行技術文献】
【特許文献】
【０００５】
【特許文献１】特開２０１２−０２１８６６号公報
【特許文献２】特開２０１０−０１１５７８号公報
【発明の概要】
【発明が解決しようとする課題】
【０００６】
しかしながら、このような従来の先端工具取付アダプタによれば、先端工具の取り付け角度が悪かった場合には、蝶ボルト１０３を緩めて角度を調整し、しかる後に再び蝶ボルト１０３を締め付けなければならず、非常に手間が掛かると共に時間を要するものであった。
しかも従来の先端工具取付アダプタは、蝶ボルト１０３の操作だけで片手が専有されるため、取付アダプタとこれに取り付けられる先端工具を保持した状態で蝶ボルト１０３を回す作業は、両手で行う場合であっても、非常にやりにくいものであった。
【０００７】
本発明は、かかる事情に鑑みてなされたものであり、上述した不都合を解消し、先端工具の取付アダプタへの取り付け、取り外しをワンタッチで行うことができ、また、先端工具の取付アダプタへの着脱操作と取付アダプタ及び先端工具の保持操作とを同時に行う場合でも容易に行うことが可能な先端工具取付アダプタを提供することを主たる課題としている。
【課題を解決するための手段】
【０００８】
上記課題を達成するために、本発明に係る先端工具取付アダプタは、先端工具の取付部に連結接続するヘッド部と、操作棒の先端部に連結接続するジョイント部とが一体に形成された先端工具取付アダプタであって、前記ヘッド部は、先端工具の取付部を挿入可能とする間隙を間にあけて互いに平行に立設された対をなす支持プレートと、それぞれの支持プレートに前記間隙に出没可能に（他方の支持プレートに向けて進退可能に）設けられ、前記間隙に挿入された前記取付部の嵌合孔に挿着可能となる連結ロッドと、それぞれの支持プレートに設けられ、前記支持プレートに押し込むことで前記連結ロッドを前記間隙から後退させる操作ロッドと、前記連結ロッドを前記間隙へ突出させる方向へ常時付勢する付勢部材と、を具備することを特徴としている。
【０００９】
したがって、操作ロッドを支持プレートに押し込んで連結ロッドを間隙から後退させることで、ヘッド部の間隙に操作ロッドを突出させない状態を形成し、その状態で先端工具の取付部をヘッド部の間隙に挿入し、取付部の嵌合孔と連結ロッドの位置とを整合させ、しかる後に操作ロッドを押し込む力を解除すれば、付勢部材により連結ロッドが間隙に突出して嵌合孔に挿着するので、操作ロッドを押し込む操作およびその解除により先端工具の取付部を取付アダプタに着脱させることが可能となる。
【００１０】
しかも操作ロッドを支持プレートに押し込むことで連結ロッドを間隙から後退させることが可能となるので、取付アダプタを手で握って保持する操作と操作ロッドを押し込む操作とを同じ片手で行うことが可能となり、取付アダプタ及び先端工具を保持しつつ先端工具の取付アダプタへの着脱操作を容易に行うことが可能となる。
【００１１】
操作ロッドの動きを連結ロッドに伝達させる具体的な機構としては、例えば、操作ロッドにその移動方向（軸方向）に沿ってラックが形成された第１ラック部を形成し、前記連結ロッドにその移動方向（軸方向）に沿ってラックが形成された第２ラック部を形成し、前記操作ロッドと前記連結ロッドとの間に前記第１ラック部と前記第２ラック部とに噛合するピニオンを設けて前記連結ロッドを後退させる方向への付勢力を前記操作ロッドから供給するようにするとよい。
【００１２】
なお、前記付勢部材は、操作ロッドを支持プレートから突出させる方向に付勢するバネによって構成することで、連結ロッドを間隙へ突出させる付勢力を操作ロッドから第１ラック部、ピニオン、及び第２ラック部を介して連結ロッドに伝達させるようにしてもよい。
【００１３】
また、前記対をなす支持プレートに設けられたそれぞれの連結ロッドの先端部は、取付部に設けられた別々の嵌合孔にそれぞれ嵌合させるようにしてもよいが、前記間隙に突出させた状態で前記連結ロッドの軸方向と垂直方向で互いに重なり合い、重なり合った部分で前記嵌合孔の断面形状を呈する構成とすることで、先端工具の取付部に設けられた１箇所の嵌合孔にそれぞれの連結ロッドの先端部を嵌合させるようにしてもよい。
【００１４】
また、先端工具の取付角度を任意に調節できるようにするために、前記嵌合孔の内周面と前記連結ロッドの先端部の外周面とに、互いに噛合する平目のローレットを形成するようにしてもよい。
【発明の効果】
【００１５】
以上述べたように、本発明によれば、先端工具の取付部に連結接続するヘッド部と、操作棒の先端部に連結接続するジョイント部とを一体に備えた先端工具取付アダプタにおいて、ヘッド部を、先端工具の取付部を挿入可能とする間隙を間にあけて互いに平行に立設された対をなす支持プレートと、それぞれの支持プレートに前記間隙に出没可能に（他方の支持プレートに向けて進退可能に）設けられて取付部に形成された嵌合孔に挿着可能となる連結ロッドと、連結ロッドを間隙から後退させる方向へ動かす操作ロッドと、連結ロッドを間隙へ突出させる方向へ常時付勢する付勢部材とを具備して構成するようにしたので、先端工具の取付アダプタへの取り付け、取り外しをワンタッチで行うことが可能となり、容易かつ短時間で先端工具の着脱が可能となる。
しかも、操作ロッドを支持プレートに押し込む操作とその解除によって、先端工具の取付アダプタへの着脱が可能となるので、取付アダプタと先端工具とを保持しつつ先端工具の着脱操作を容易に行うことが可能となる。
【図面の簡単な説明】
【００１６】
【図１】図１は、本発明に係る先端工具取付アダプタを示す図であり、（ａ）は、一部切欠きの側断面図、（ｂ）は、（ａ）を９０度横から見た側面図、（ｃ）は、その平面図である。
【図２】図２は、本発明に係る先端工具取付アダプタに設けられて先端工具の取付部を着脱する機構を示す断面図であり、（ａ）は操作ロッドが押されていない通常時の状態を示す図、（ｂ）は操作ロッドが押された状態を示す図である。
【図３】図３は、一対の操作ロッドを示す斜視図である。
【図４】図４は、一対の連結ロッドを示す図であり、（ａ）はその斜視図、（ｂ）は（ａ）のＡ方向から見た図である。
【図５】図５は、本発明に係る先端工具取付アダプタに装着される先端工具の取付部を示す図であり、（ａ）はその側面図、（ｂ）は（ａ）を９０度横から見た側面図、（ｃ）は先端工具取付アダプタに装着した状態を示す一部切欠きの側断面図である。
【図６】図６は、従来の先端工具取付アダプタを示す図であり、（ａ）は先端工具を取り付ける前の状態を示す図、（ｂ）は先端工具を取り付けた状態を示す図である。
【発明を実施するための形態】
【００１７】
以下、本発明に係る先端工具取付アダプタの実施形態を、添付図面を参照しながら説明する。
【００１８】
図１において、先端工具取付アダプタ１は、先端工具の取付部を連結接続するヘッド部２と、共用操作棒の先端部（アタッチメント部）と着脱可能に連結接続するジョイント部３とを一体に形成して構成されている。
ジョイント部３は、それ自体公知のもので、共用操作棒の先端部（アタッチメント部）が差込可能となるよう基端が開口された有底円筒状に形成され、その周面には、対向する２箇所にＴ字状の係合溝４が形成されている。
【００１９】
この係合溝４は、ジョイント部３の軸線に沿った方向に切れ込んだ第1の係合部４ａと、この第1の係合部４ａの先端から周方向に沿って両側に延設された第２の係合部４ｂと、この第２の係合部４ｂの両端部からジョイント部３の開口端に向かって延設された第３の係合部４ｃとから構成されている。
【００２０】
ヘッド部２は、後述する先端工具３０の取付部３１を挿入可能とする間隙２０を間にあけて互いに平行にジョイント部３の頂部から立設された対をなす支持プレート５を備えている。この支持プレート５は、互いに対峙する面に、突起は形成されておらず、この例では、平坦な面に形成されている。
【００２１】
それぞれの支持プレート５には、図２にも示されるように、互いに対峙する面と反対側の面（外側の面）から操作ロッド６を摺動自在に挿入する操作ロッド用挿入孔７が取付アダプタの軸方向（支持プレート５の立設方向）に対して垂直方向に形成されている。また、それぞれの支持プレート５には、操作ロッド用挿入孔７と並行に連結ロッド８を挿入する連結ロッド用挿入孔９が形成されている。それぞれの操作ロッド６が挿入される操作ロッド用挿入孔７は、互いに整合させた位置に形成され、また、それぞれの連結ロッド８が挿入された連結ロッド用挿入孔９も、互いに整合させた位置に形成されている。また、この例においては、連結ロッド用挿入孔９は、操作ロッド用挿入孔７よりもジョイント部側に所定の間隔をあけて形成されている。
【００２２】
さらに、それぞれの支持プレート５の内部には、操作ロッド用挿入孔７と連結ロッド用挿入孔９との間に位置し、これら挿入孔と連通する連通空間１０が形成されている。
【００２３】
前記操作ロッド６は、図３にも示されるように、直線状に形成された断面略矩形状のもので、支持プレート５から外側に突出する端部には、操作ロッド用挿入孔７よりも大きく形成されたフランジ部１１が形成され、このフランジ部１１と支持プレート５の外面との間には、圧縮スプリング１２が弾装され、この圧縮スプリング１２により、操作ロッド６を操作ロッド用挿入孔７から突出させる方向へ常時付勢している。
【００２４】
また、操作ロッド６の挿入端部には、ロッド６の軸方向に対して垂直方向に突出する係止片１３が形成され、この係止片１３は、支持プレート５の操作ロッド用挿入孔７の内壁に形成された係止溝１４内を摺動し、前記圧縮スプリング１２により操作ロッド６が外方へ付勢されて移動した場合でも係止溝１４の終端に係止片１３が当接して操作ロッド６がそれ以上に外側へ移動しないようになっている。
【００２５】
そして、この操作ロッド６の連通空間１０と対峙する面（図４では下面）には、ロッドの移動方向（軸方向）に沿って延びるラックが形成された第１のラック部１５が設けられている。
【００２６】
これに対して連結ロッド８は、図４にも示されるように、断面略矩形の直線状に形成された動力伝達部１６と、この動力伝達部１６と一体に形成されて、断面半円状に形成された連結部１７とを有しているもので、動力伝達部１６の前記連通空間１０と対峙する面（図４では上面）には、ロッドの移動方向（軸方向）に沿って延びるラックが形成された第２のラック部１８が設けられている。
【００２７】
この連結ロッド８の連結部１７は、動力伝達部１６の軸心を通り、第２のラック部１８が形成されている面と垂直に形成された平面を側面の一部とする半円柱状に形成されているもので、この連結部１７の長さは間隙２０の幅に略等しく形成され、対をなす連結ロッド８の連結部１７は、通常時においては、それぞれの支持プレート５から間隙２０に突出し、互いの平面を重ね合わせて円柱状に形成されるようになっている。
【００２８】
それぞれの連結部１７の湾曲面には、平目からなるローレット１９が形成され、後述する先端工具の取付部に設けられた嵌合孔３２の内周面に形成されたローレット３３と嵌合可能となっている。
【００２９】
そして、各支持プレート５の連通空間１０には、操作ロッド６に形成された第１のラック部１５と連結ロッド８に形成された第２のラック部１８との間に配置され、これらラック部と噛合するピニオン２１が回転自在に支持されている。
【００３０】
操作ロッド６が最も外側に位置している（操作ロッド６の係止片１３が係止溝１４の終端部に当接している）通常時においては、図２（a）に示されるように、ピニオン２１は、操作ロッド６（第１のラック部１５）の先端部に噛合し、また、連結ロッド８の連結部１７が間隙２０に最も突出した状態となるよう第２のラック部１８の連結部１７から最も離れた部位で噛合するようになっている。
【００３１】
したがって、それぞれの操作ロッド６のフランジ部１１を押圧して該操作ロッド６を圧縮スプリング１２のバネ力に抗して支持プレート５に押し込むと、図２（ｂ）に示されるように、この操作ロッド６の直線動が第1のラック部１５からピニオン２１を介して第２のラック部１８に伝達され、連結ロッド８を連結ロッド用挿入孔９に引き入れ、連結部１７が間隙２０に突出しない状態となる。
【００３２】
そして、この状態から操作ロッド６の押し込む付勢力を解除すると、圧縮スプリング１２のバネ力により、操作ロッド６は外方へ付勢されて操作ロッド用挿入孔７から突出するように変位すると共に、この動きが第1のラック部１５からピニオン２１を介して第２のラック部１８に伝達され、連結ロッド８の連結部１７が連結ロッド用挿入孔９から間隙２０に突出した状態となる。
【００３３】
このような先端工具取付アダプタ１に取り付けられる先端工具３０の取付部３１は、従来の菊座を備えたものであっても差し支えないが、この例では、図５に示されるように、菊座を設けずに、両側面を平坦な面としている。したがって、この例では、取付部３１の厚みは、従来の菊座が設けられている取付部に比べて薄くなるので、その分、先端工具取付アダプタ１の間隙２０の幅を狭くすることができ、先端工具取付アダプタ１の大型化を避けることが可能となる。
また、取付部３１の略中央には、前記連結ロッド８の連結部１７が挿入可能となる嵌合孔３２が形成されている。この嵌合孔３２は、一対の連結ロッド８の連結部１９を互いの平面を重ね合わせた状態で挿入できる程度の大きさを有する断面円形状に形成されているもので、内周面に平目からなるローレット３３が形成され、連結ロッド８の連結部１７の湾曲面に形成されたローレット１９と嵌合可能となっている。
【００３４】
以上の構成において、先端工具取付アダプタ１に先端工具を取り付ける場合には、先端工具取付アダプタ１を片手で握るように持ち、その状態を保ちつつ、親指と人差し指、又は、親指と中指で対をなす操作ロッド６のフランジ部１１を押圧してそれぞれの操作ロッド６を支持プレート５に押し込む。すると、連結ロッド８の連結部１７が連結ロッド用挿入孔９に入り込み、間隙２０に連結部１７が突出されない状態が形成される。その状態で、先端工具３０の取付部３１を間隙２０に挿入し、取付部３１の嵌合孔３２の位置を連結ロッド用挿入孔９の位置に合わせ、しかる後に操作ロッド６から指を離すと、圧縮スプリング１２のバネ力で操作ロッド６が支持プレート５から突出する方向に付勢され、この付勢力がピニオン２１を介して連結ロッド８に伝達され、それぞれの連結ロッド８の連結部１７が互いの平面を重ね合わせた状態で、かつ、それぞれ連結部１７のローレット１９が嵌合孔３２のローレット３３と噛み合った状態で取付部３１の嵌合孔３２に挿入され、先端工具３０が先端工具取付アダプタ１に固定される。
【００３５】
また、先端工具取付アダプタ１に装着されている先端工具３０を取り外す場合は、先端工具取付アダプタ１を片手で握るように持ち、その状態を保ちつつ、親指と人差し指又は親指と中指で対をなす操作ロッド６のフランジ部１１を押圧してそれぞれの操作ロッド６を支持プレート５に押し込むことで、連結ロッド８の連結部１７による取付部３１への嵌合状態を解除することが可能となる。
【００３６】
したがって、従来の菊座アダプタのように、蝶ボルトを何回も回して先端工具を着脱させる操作が不要となり、操作ロッドを押し込んだり、離したりする操作だけで先端工具３０を先端工具取付アダプタ１に着脱させることが可能となるので、先端工具３０の取付アダプタ１への取り付け、取り外しをワンタッチで行うことができ、また、片手で取付アダプタ１を保持したまま、同じ手で操作ロッド６を操作することが可能となるので、先端工具３０の取付アダプタ１への着脱操作と取付アダプタ及び先端工具の保持操作とを同時に行う場合でも容易に行うことが可能となる。
【符号の説明】
【００３７】
１  先端工具取付アダプタ
２  ヘッド部
３  ジョイント部
５  支持プレート
６  操作ロッド
８  連結ロッド
１２  圧縮スプリング
１５  第1のラック部
１８  第2のラック部
１９、３３  ローレット
２０  間隙
２１  ピニオン
３０  先端工具
３１  取付部
３２  嵌合孔
【図１】
2015027168.tif 000003
【図２】
2015027168.tif 000004
【図３】
2015027168.tif 000005
【図４】
2015027168.tif 000006
【図５】
2015027168.tif 000007
【図６】
2015027168.tif 000008